(57)【要約】【課題】本発明は、ユーザインターフェースメニューの制御方法、並びにこれを用いた移動通信端末及び応用サービス提供装置を提供する。【解決手段】本発明によるユーザインターフェースメニューの制御方法は、移動通信システムを介して応用サービス提供装置に呼が接続されると、応用サービス提供装置からユーザインターフェースメニューの構成情報を受信するステップと、メニュー構成情報が受信されると、設定されたユーザインターフェースメニューに対応するメニュー構成データを抽出するステップと、抽出されたメニュー構成データを組み合わせてサービス属性別に提供されるユーザインターフェースメニューを構成するステップと、を含むことができる。【選択図】図２
2009530956.tif 000002
【特許請求の範囲】
【請求項１】
移動通信システムを介して応用サービス提供装置に接続して応用サービスを利用する移動通信端末におけるユーザインターフェースメニューの制御方法であって、
前記移動通信端末に提供される応用サービスのサービス属性別に、対応する応用サービスが提供されるユーザインターフェースメニューを設定するステップと、
前記移動通信システムを介して前記応用サービス提供装置に呼が接続されると、前記応用サービス提供装置からの応用サービスのサービス属性を知らせるサービス属性通知メッセージを受信するステップと、
前記サービス属性通知メッセージが受信されると、設定されたサービス属性別メニューに、受信されたサービス属性に対応して設定されたメニューがあるかを検索するステップと、
前記検索されたメニューでユーザインターフェースメニューを変更するステップと、を含むユーザインターフェースメニューの制御方法。
【請求項２】
前記応用サービス提供装置から前記サービス属性通知メッセージが受信されなかった場合や、前記サービス属性通知メッセージは受信されたが、設定されたサービス属性別メニューに、受信されたサービス属性に対応して設定されたメニューがない場合は、前記ユーザインターフェースメニューをデフォルトメニューとして構成するステップをさらに含むことを特徴とする請求項１に記載のユーザインターフェースメニューの制御方法。
【請求項３】
移動通信システムを介して応用サービス提供装置に接続して応用サービスを利用する移動通信端末におけるユーザインターフェースメニューの制御方法であって、
移動通信システムを介して前記応用サービス提供装置に呼が接続されると、前記応用サービス提供装置からユーザインターフェースメニューの構成情報を受信するステップと、
前記メニュー構成情報が受信されると、設定されたユーザインターフェースメニューに対応するメニュー構成データを抽出するステップと、
前記抽出されたメニュー構成データを組み合わせて前記サービス属性別に提供されるユーザインターフェースメニューを構成するステップと、を含むユーザインターフェースメニューの制御方法。
【請求項４】
前記ユーザインターフェースメニューの構成情報を受信するステップの前に、
前記ユーザインターフェースメニューを構成する各メニューの命令語及び機能情報であるメニュー構成データを格納するステップをさらに含むことを特徴とする請求項３に記載のユーザインターフェースメニューの制御方法。
【請求項５】
前記ユーザインターフェースメニューの構成情報を受信するステップの前に、
前記設定されたユーザインターフェースメニューの構成情報が前記応用サービス提供装置により格納されるステップをさらに含むことを特徴とする請求項３に記載のユーザインターフェースメニューの制御方法。
【請求項６】
前記応用サービス提供装置が音声サービス提供装置である場合、
前記応用サービス提供装置から前記ユーザインターフェースメニューの構成情報を受信するステップは、
前記応用サービス提供装置によりＳＭＳＣ（Ｓｈｏｒｔ  Ｍｅｓｓａｇｅ  Ｓｅｒｖｉｃｅ  Ｃｅｎｔｅｒ）に前記メニュー構成情報が含まれたショートメッセージの送信が要求されるステップと、
前記ＳＭＳＣから前記メニュー構成情報が含まれたショートメッセージを受信するステップと、
前記受信されたショートメッセージの属性をチェックするステップと、
前記ショートメッセージの属性をチェックした結果、前記ショートメッセージが前記メニュー構成情報を含むと判断された場合に前記ショートメッセージから前記メニュー構成情報を抽出するステップと、を含むことを特徴とする請求項３に記載のユーザインターフェースメニューの制御方法。
【請求項７】
前記ショートメッセージは、特定データフィールドを指定して前記メニュー構成情報を含むという属性を表すことを特徴とする請求項６に記載のユーザインターフェースメニューの制御方法。
【請求項８】
前記特定データフィールドは、ヘッダフィールドのうちのＰＩＤ（Ｐｒｏｔｏｃｏｌ  Ｉｄｅｎｔｉｆｉｅｒ）フィールドであることを特徴とする請求項７に記載のユーザインターフェースメニューの制御方法。
【請求項９】
前記応用サービス提供装置から前記メニュー構成情報が受信されなかった場合や、前記メニュー構成情報は受信されたが、設定されたサービス属性別メニューに、受信されたメニュー構成情報に対応するメニュー構成データが格納されていない場合は、前記ユーザインターフェースメニューをデフォルトメニューとするステップをさらに含むことを特徴とする請求項３に記載のユーザインターフェースメニューの制御方法。
【請求項１０】
前記応用サービスは、ＷＣＤＭＡ移動通信システムから提供される映像会議サービス、映像モニタリングサービス、音声会議サービス、または障害者のためのＡＲＳサービスのうちの一つであることを特徴とする請求項１または請求項３に記載のユーザインターフェースメニューの制御方法。
【請求項１１】
前記サービス属性が前記応用サービスが映像会議サービスである場合、映像会議を開催するための動作中である場合に該当する映像会議開催モード及び参加者たちの映像通話で映像会議が進行中である場合に該当する映像会議通話モードを含むことを特徴とする請求項１０に記載のユーザインターフェースメニューの制御方法。
【請求項１２】
前記サービス属性が映像会議開催モードである場合、
前記ユーザインターフェースメニューは、前記移動通信端末内に格納された通話記録を調べて参加者を選択できるようにする通話記録確認、及び前記移動通信端末内に登録された電話帳を調べて参加者を選択できるようにする電話帳検索のうちの一つ以上を含むことを特徴とする請求項１１に記載のユーザインターフェースメニューの制御方法。
【請求項１３】
前記サービス属性が映像会議通話モードである場合、
前記ユーザインターフェースメニューは、映像会議に参加した特定参加者にだけユーザ音声が聞こえるようにする耳打ち、特定参加者の音声が他の参加者に聞こえないようにする発言禁止、特定参加者とメッセージを交換できるようにするチャットの一つ以上を含むことを特徴とする請求項１１に記載のユーザインターフェースメニューの制御方法。
【請求項１４】
前記サービス属性は、前記応用サービスが映像モニタリングサービスである場合、指定されたモニタリング端末で収集されたモニタリング映像を移動通信端末に提供する映像モニタリングモードを含むことを特徴とする請求項１０に記載のユーザインターフェースメニューの制御方法。
【請求項１５】
前記サービス属性が映像モニタリングモードである場合、
前記ユーザインターフェースメニューは、モニタリング画面を大きくする画面拡大、モニタリング画面を小さくする画面縮小、モニタリング画面を上下左右の特定方向に移動させる上下左右への移動の一つ以上を含むことを特徴とする請求項１４に記載のユーザインターフェースメニューの制御方法。
【請求項１６】
前記サービス属性別のユーザインターフェースメニューは、
移動通信端末の画面上に表示されるメニュー名と、各メニュー名の選択時に行われる命令語及び機能情報と、を含むことを特徴とする請求項１または請求項３に記載のユーザインターフェースメニューの制御方法。
【請求項１７】
移動通信システムを介して応用サービス提供装置に応用サービスを要求し、応用サービス提供装置からサービスデータや提供サービスの属性を知らせるサービス属性通知メッセージを受信する無線部と、
複数の入力キーが含まれ、ユーザの選択及び命令を入力する入力部と、
応用サービスのサービス属性別に、各サービス属性に対応するメニュー名と、該メニュー名に対応して行われる命令及び機能情報を含むユーザインターフェースメニューデータを格納する格納部と、
前記無線部により応用サービスが要求された後、サービス属性通知メッセージが受信されると、受信されたサービス属性に対応するメニューデータを格納部から検索し、検索されたメニューで端末内のユーザインターフェースのニューを変更し、入力部によりユーザの要求で選択されたユーザインターフェースのメニューに該当する機能を行う制御部と、
制御部の制御により変更されたユーザインターフェース画面及びユーザインターフェースメニューをディスプレイする表示部と、を含むことを特徴とする移動通信端末。
【請求項１８】
前記格納部に格納されたユーザインターフェースメニューは、
前記移動通信端末内に格納された通話記録を調べて参加者を選択できるようにする通話記録確認、及び端末内に登録された電話帳を調べて参加者を選択できるようにする電話帳検索のうちの一つ以上を含む映像会議開催モード用ユーザインターフェースメニューを含むことを特徴とする請求項１７に記載の移動通信端末。
【請求項１９】
前記格納部に格納されたユーザインターフェースメニューは、映像会議に参加した特定参加者にだけユーザ音声が聞こえるようにする耳打ち、特定参加者の音声が他の参加者に聞こえないようにする発言禁止、及び特定参加者とメッセージを交換できるようにするチャットのうちの一つ以上を含む映像会議通話モードにおけるユーザインターフェースメニューを含むことを特徴とする請求項１７に記載の移動通信端末。
【請求項２０】
前記格納部に格納されたユーザインターフェースメニューは、モニタリング画面を大きくする画面拡大、モニタリング画面を小さくする画面縮小、及びモニタリング画面を上下左右の特定方向に移動させる上下左右への移動のうちの一つ以上を含む映像モニタリングモード用ユーザインターフェースメニューを含むことを特徴とする請求項１７に記載の移動通信端末。
【請求項２１】
移動通信システムを介して応用サービス提供装置に応用サービスを要求し、応用サービス提供装置からサービスデータ及び提供サービスの属性に対応するユーザインターフェースメニューの構成情報を受信する無線部と、
複数の入力キーが含まれ、ユーザの選択及び命令を入力する入力部と、
応用サービスのサービス属性別に、各サービス属性に対応するメニューを構成するために、各メニューの構成要素により行われる命令及び機能情報を含むメニュー構成データを格納する格納部と、
前記メニュー構成情報が受信されると、受信された前記メニュー構成情報に対応する前記メニュー構成データを抽出して前記ユーザインターフェースメニューを構成し、前記入力部によりユーザの要求で選択されたユーザインターフェースのメニューに該当する機能を行う制御部と、
前記構成されたユーザインターフェースメニューをディスプレイする表示部と、を含むことを特徴とする移動通信端末。
【請求項２２】
前記応用サービスが音声会議サービスである場合、
前記無線部は、ＳＭＳＣから前記メニュー構成情報が含まれたショートメッセージを受信し、
前記制御部は、前記ショートメッセージの属性をチェックした結果、前記ショートメッセージが前記メニュー構成情報を含むと判断された場合に、前記ショートメッセージから前記メニュー構成情報を抽出して前記ユーザインターフェースメニューを構成することを特徴とする請求項２１に記載の移動通信端末。
【請求項２３】
前記ユーザインターフェースメニューは、前記表示部の画面の一部にポップアップ（ｐｏｐ−ｕｐ）で表示されることを特徴とする請求項１７または請求項２１に記載の移動通信端末。
【請求項２４】
移動通信システムを介して移動通信端末に応用サービスを提供する応用サービス提供装置における応用サービス提供のためのユーザインターフェースメニュー制御方法であって、
前記応用サービスの種類及び各サービスの動作モード別にサービス属性を分類するステップと、
移動通信端末からの呼の要求により移動通信システムを介して移動通信端末からの呼が接続されるステップと、
前記接続された呼により当該移動通信端末からのサービス要求を受信するステップと、
受信された移動通信端末からのサービス要求から該当するサービスの属性を確認するステップと、
前記サービス属性情報または前記サービス属性に対応するユーザインターフェースメニューの構成情報を前記移動通信端末に転送するステップと、を含むことを特徴とする映像応用サービスのためのユーザインターフェースメニューの制御方法。
【請求項２５】
移動通信システムを介して移動通信端末に応用サービスを提供する応用サービス提供装置における応用サービス提供のためのユーザインターフェースメニューの制御方法であって、
前記応用サービスの種類及び各サービスの動作モード別にサービス属性を分類するステップと、
前記サービス属性に対応するユーザインターフェースメニューの構成情報を格納するステップと、
移動通信端末からの呼の要求により移動通信システムを介して移動通信端末からの呼が接続されるステップと、
前記接続された呼により当該移動通信端末からのサービス要求を受信するステップと、
受信された移動通信端末からのサービス要求から該当するサービスの属性を確認するステップと、
前記サービス属性に対応するユーザインターフェースメニューの構成情報を前記移動通信端末に転送するステップと、を含むことを特徴とする映像応用サービスのためのユーザインターフェースメニューの制御方法。
【請求項２６】
前記応用サービスが音声会議サービスである場合、
前記サービス属性情報または前記サービス属性に対応するユーザインターフェースメニューの構成情報を前記移動通信端末に転送するステップは、
ＳＭＳＣからショートメッセージに前記サービス属性情報または前記メニュー構成情報が含まれて転送されることを特徴とする請求項２４または請求項２５に記載の映像応用サービスのためのユーザインターフェースメニューの制御方法。
【請求項２７】
移動通信システムを介して移動通信端末に応用サービスを提供する応用サービス提供装置であって、
移動通信端末からユーザの入力信号を受信する入力信号受信部と、
前記入力信号に対応する応用サービスを提供するために応用サービス処理を行う応用サービス処理部と、
前記応用サービスの属性別に前記移動通信端末にユーザインターフェースメニューを構成するためのサービス属性情報またはユーザインターフェースメニューの構成情報を送信するユーザインターフェースメニュー情報送信部と、を含む応用サービス提供装置。
【請求項２８】
前記受信されたユーザの入力信号を判断して前記移動通信端末にユーザインターフェースメニューを構成するためのサービス属性情報またはユーザインターフェースメニューの構成情報が送信されたか否かを判断するためのユーザインターフェースメニューの構成情報送信可否判断部をさらに含むことを特徴とする請求項２７に記載の応用サービス提供装置。
【請求項２９】
前記応用サービスのサービス属性に対応するユーザインターフェースメニューの構成情報が格納されたデータベースをさらに含むことを特徴とする請求項２７に記載の応用サービス提供装置。
【請求項３０】
前記応用サービス提供装置が音声会議サービス装置である場合、
前記ユーザインターフェースメニューの構成情報が含まれたショートメッセージを前記移動通信端末に伝達するためのＳＭＳ要求信号送信部をさらに含むことを特徴とする請求項２７に記載の応用サービス提供装置。
【請求項３１】
移動通信システムを介して応用サービス提供装置に接続して応用サービスを用いる移動通信端末におけるユーザインターフェースメニューの制御方法を実行するための類型化した命令語で構成されたプログラムが記録された電子装置で読み取ることができる記録媒体であって、
前記移動通信端末に提供される応用サービスに対して、サービス属性別に該当する応用サービスが実行される時に提供されるユーザインターフェースメニューを設定するステップと、
前記移動通信システムを介して前記応用サービス提供装置に呼が接続されると、前記応用サービス提供装置から応用サービスのサービス属性を知らせるサービス属性通知メッセージを受信するステップと、
前記サービス属性通知メッセージが受信されると、設定されたサービスの属性別メニュに受信されたサービス属性に対応して設定されたメニューがあるかを検索するステップと、
前記検索されたメニューでユーザインターフェースメニューを変更するステップと、を含むユーザインターフェースメニューの制御方法を実行するプログラムが記録された記録媒体。
【請求項３２】
移動通信システムを介して応用サービス提供装置に接続して応用サービスを用いる移動通信端末におけるユーザインターフェースメニューの制御方法を実行する類型化した命令語で構成されたプログラムが記録された電子装置で読み取ることができる記録媒体であって、
前記移動通信システムを介して前記応用サービス提供装置に呼が接続されると、前記応用サービス提供装置から前記ユーザインターフェースメニューの構成情報を受信するステップと、
前記メニュー構成情報が受信されると、設定されたユーザインターフェースメニューに対応するメニュー構成データを抽出するステップと、
前記抽出されたメニュー構成データを組み合わせて前記サービス属性別に提供されるユーザインターフェースメニューを構成するステップと、を含むユーザインターフェースメニューの制御方法を実行するプログラムが記録された記録媒体。
【発明の詳細な説明】
【技術分野】
【０００１】
本発明は、ユーザインターフェースメニューの制御方法、並びに、これを用いた移動通信端末及び応用サービス提供装置に関するもので、より詳しくは、ＷＣＤＭＡ網から提供される応用サービスに応じてユーザインターフェースメニューを変更することによりユーザの便宜を図る応用サービスの提供のためのユーザインターフェースメニューの制御方法、並びに、これを用いた移動通信端末及び応用サービス提供装置に関する。
【背景技術】
【０００２】
移動通信サービスは、１９８０年代後半のアナログセルラー方式のＡＭＰＳ（Ａｄｖａｎｃｅｄ  Ｍｏｂｉｌｅ  Ｐｈｏｎｅ  Ｓｅｒｖｉｃｅ）で提供された低い品質の音声電話を主とする第１世代移動通信サービスから始まり、デジタルセルラー方式のＧＳＭ（Ｇｌｏｂａｌ  Ｓｙｓｔｅｍ  ｆｏｒ  Ｍｏｂｉｌｅ）、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）などで提供される高品質の音声電話及び低速（１４．４Ｋｂｐｓ）データサービスが可能となった第２世代移動通信サービスに発展し、最近は、３ＧＰＰ（Ｇｅｎｅｒａｔｉｏｎ  Ｐａｒｔｎｅｒｓｈｉｐ  Ｐｒｏｊｅｃｔ）が主軸になっている非同期方式のＷＣＤＭＡ方式及び、３ＧＰＰ２が主軸になっている同期方式のＣＤＭＡ−２０００システムに分けられて提供される第３世代移動通信サービスに発展している。
【０００３】
上述した移動通信サービス中、ＷＣＤＭＡシステムはＩＭＴ−２０００で推奨する無線プロトコルであって、高い通話品質を有し、帯域拡散方式を採用しているので、多量のデータ転送にも適するという長所を有し、また高い移動性を支援するなどの長所から、全世界的に多くの通信サービス事業者が既にサービスを提供していたり、サービスの提供を準備しており、３ＧＰＰではＷＣＤＭＡの技術スペック（Ｓｐｅｃ）を発展させ続けている。
【０００４】
このようなＷＣＤＭＡシステムは、多数ユーザ間のテレビ電話による会議が可能になる多者間映像会議サービス、音声通話による会議が可能になる音声会議サービス、またはユーザが所定の場所に設けられたモニタリング端末を介して特定場所の状況を監視できるようにするモニタリングサービスなど、多様な映像応用サービスを支援することができる。
【０００５】
しかし、このような応用サービスは、それぞれのサービス別またはサービスの動作状態別に要求される機能が異なる。
【０００６】
例えば、映像会議サービスを要求した主催者には、映像会議に参加する参加者の選択機能や、映像会議中に映像会議を仲裁（例えば、発言制限など）できる機能、また映像会議中、映像会議に参加した参加者及び主催社全員が特定参加者を選択して話しできる（例えば、耳打ち）機能や、他の参加者とメッセージを交換できるチャット機能などの附加機能が要求される。一方、モニタリングサービスは、上述した映像会議サービスとは異なって、モニタリング機能に対する要求、例えば、上下左右への方向移動や拡大／縮小などの画面制御要求機能を必要とする。
【０００７】
しかし、従来にはこのような応用サービスを利用するユーザーが、所望する機能の命令語を直接入力しなければならなかった。
【０００８】
例えば、映像会議サービスまたは音声会議サービスにおいて、参加者を選択する場合、「＊０１＃０１００００１１２３４＃０１００００２１２３４＃．．．．＃０１００００３１２３４」のように指定された形式に応じて参加者のＭＩＮ（Ｍｏｂｉｌｅ  Ｉｄｅｎｔｉｆｉｃａｔｉｏｎ  Ｎｕｍｂｅｒ）を直接入力しなければならなかった。すなわち、参加者を選択する場合、端末上に格納されている通話記録や電話帳を利用せず、ユーザが直接１１桁の参加者番号をいちいち入力するなど、サービス利用における機能操作が大変不便であった。
【０００９】
一方、従来のＷＣＤＭＡ端末やＣＤＭＡ端末などの移動通信端末は、メニューボタンを用いてユーザが簡単に移動通信端末を制御できるようにしたが、上述のメニュー、例えば、非通話中または通話中などの端末の動作モードによりその項目が固定されている。
【００１０】
上述したＷＣＤＭＡ網は、例えば、基本的にＣＳ（Ｃｉｒｃｕｉｔ  Ｓｅｒｖｉｃｅ）基盤の映像呼を提供するので、従来の移動通信端末を用いて映像応用サービスを利用する場合、映像呼と映像応用サービスとを区別できず、映像応用サービスを利用する場合も通話中とみなされ、通話中の端末規格による固定メニュー（例えば、送話音遮断、メモ、私の電話番号転送など）がサービス区別なしに同じく提供される。
【００１１】
したがって、ユーザの不便を解消してより良いサービスを提供するために、応用サービスを利用するユーザに、各応用サービスの属性別に異なる、移動通信端末の機能を制御できるメニューを提供することが求められている。
【発明の開示】
【発明が解決しようとする課題】
【００１２】
本発明は、上述した従来の要求を満たすためになされたものであって、その目的は移動通信網から提供される応用サービスの属性に応じてユーザインターフェースメニューを変更することによりユーザの便宜を図るユーザインターフェースメニューの制御方法及びこれを用いた移動通信端末を提供することである。
【課題を解決するための手段】
【００１３】
本発明の一実施形態では、移動通信端末におけるユーザインターフェースメニューの制御方法が提供される。
【００１４】
本発明の一実施例による移動通信端末におけるユーザインターフェースメニューの制御方法は、上記移動通信端末に提供される応用サービスのサービス属性別に、対応する応用サービスが提供されるユーザインターフェースメニューを設定するステップと、上記移動通信システムを介して上記応用サービス提供装置に呼が接続されると、上記応用サービス提供装置から応用サービスのサービス属性を知らせるサービス属性通知メッセージを受信するステップと、上記サービス属性通知メッセージが受信されると、設定されたサービス属性別メニューに、受信されたサービス属性に対応して設定されたメニューがあるかを検索するステップと、上記検索されたメニューでユーザインターフェースメニューを変更するステップと、を含むことができる。
【００１５】
本発明の他の実施例によるユーザインターフェースメニューの制御方法は、移動通信システムを介して上記応用サービス提供装置に呼が接続されると、上記応用サービス提供装置からユーザインターフェースメニューの構成情報を受信するステップと、上記メニュー構成情報が受信されると、設定されたユーザインターフェースメニューに対応するメニュー構成データを抽出するステップと、上記抽出されたメニュー構成データを組み合わせて上記サービス属性別に提供されるユーザインターフェースメニューを構成するステップと、を含むことができる。
【００１６】
本発明の他の実施形態では、ユーザインターフェースメニューの制御方法を適用した移動通信端末が提供される。
【００１７】
本発明の一実施例による移動通信端末は、移動通信システムを介して応用サービス提供装置に応用サービスを要求し、応用サービス提供装置からサービスデータ及び提供サービスの属性を知らせるサービス属性通知メッセージを受信する無線部と、複数の入力キーが含まれ、ユーザの選択及び命令を入力する入力部と、応用サービスのサービス属性別に、各サービス属性に対応するメニュー名と、各メニュー名に対応して行われる命令及び機能情報が含まれたユーザインターフェースメニューデータを格納する格納部と、上記無線部を介して応用サービスを要求した後、サービス属性通知メッセージが受信されると、受信されたサービス属性に対応するメニューデータを格納部から検索し、検索されたメニューで端末内のユーザインターフェースのメニューを変更して、入力部からユーザの要求で選択されたユーザインターフェースのメニューに該当する機能を行う制御部と、制御部の制御により変更されたインターフェース画面及びユーザインターフェースメニューをディスプレイする表示部と、を含むことができる。
【００１８】
本発明の他の実施例による移動通信端末は、移動通信システムを介して応用サービス提供装置に応用サービスを要求し、応用サービス提供装置からサービスデータ及び提供サービスの属性に対応するユーザインターフェースメニューの構成情報を受信する無線部と、複数の入力キーが含まれ、ユーザの選択及び命令を入力する入力部と、応用サービスのサービス属性別に、各サービス属性に対応するメニューを構成するために各メニューの構成要素で行われる命令及び機能情報が含まれたメニュー構成データを格納する格納部と、上記メニュー構成情報が受信されると、受信された上記メニュー構成情報に対応する上記メニュー構成データを抽出して上記ユーザインターフェースメニューを構成し、上記入力部からユーザの要求で選択されたユーザインターフェースのメニューに該当する機能を行う制御部と、上記構成されたユーザインターフェースメニューをディスプレイする表示部と、を含むことができる。
【００１９】
本発明のまた他の実施形態によれば、応用サービス提供装置におけるユーザインターフェースメニューの制御方法が提供される。
【００２０】
本発明の一実施例による応用サービス提供装置におけるユーザインターフェースメニューの制御方法は、上記応用サービスの種類及び各サービスの動作モード別にサービス属性を分類するステップと、移動通信端末からの呼の要求により移動通信システムを介して移動通信端末からの呼が接続されるステップと、接続された呼により当該移動通信端末からのサービス要求を受信するステップと、受信された移動通信端末からのサービス要求に対応するサービス属性を確認するステップと、上記サービス属性情報または上記サービス属性に対応するユーザインターフェースメニューの構成情報を上記移動通信端末に転送するステップと、を含むことができる。
【００２１】
本発明の他の実施例による応用サービス提供装置におけるユーザインターフェースメニューの制御方法は、上記応用サービスの種類及び各サービスの動作モード別にサービス属性を分類するステップと、上記サービス属性に対応するユーザインターフェースメニューの構成情報を格納するステップと、移動通信端末からの呼の要求により移動通信システムを介して移動通信端末からの呼が接続されるステップと、上記接続された呼により当該移動通信端末からのサービス要求を受信するステップと、受信された移動通信端末からのサービス要求に対応するサービス属性を確認するステップと、上記サービス属性に対応するユーザインターフェースメニューの構成情報を上記移動通信端末に転送するステップと、を含むことができる。
【００２２】
本発明のまた他の実施形態によれば、ユーザインターフェースメニューの制御方法を適用した応用サービス提供装置が提供される。
【００２３】
本発明の一実施例によるユーザインターフェースメニューの制御方法を適用した応用サービス提供装置は、移動通信端末からユーザの入力信号を受信する入力信号受信部と、上記入力信号に対応する応用サービスを提供するために応用サービス処理を行う応用サービス処理部と、上記応用サービスの属性別に上記移動通信端末にユーザインターフェースメニューを構成するためのサービス属性情報またはユーザインターフェースメニューの構成情報を送信するユーザインターフェースメニュー情報送信部と、を含むことができる。
【発明の効果】
【００２４】
本発明は、ＷＣＤＭＡシステムなどにより提供される応用サービスを用いる場合、端末規格を変更しなくても、提供される応用サービスのサービス属性に合わせてメニューを可変でき、その結果、応用サービスを利用するユーザの便宜を図ることができる。
【発明を実施するための最良の形態】
【００２５】
図１は、本発明による応用サービス提供システムを説明するための図面である。
【００２６】
図１を参照すると、本発明を適用した応用サービスシステムは、移動通信端末１００と、移動通信システム２００と、応用サービス提供装置３００とを含む。
【００２７】
移動通信端末１００は、動画の受信及び処理機能を有する移動通信端末であって、例えば、ＷＣＤＭＡ基盤の携帯電話やＰＤＡなど、移動しながら映像応用サービスが利用可能なあらゆるユーザ端末を含む。
【００２８】
移動通信システム２００は、移動通信端末１００の無線信号の送受信を支援するものであって、本発明において、移動通信端末１００と応用サービス提供装置３００との間の接続及び応用サービス関連データの伝達を行う。
【００２９】
移動通信システム２００は、事業者別または規格別に区分できるが、本発明は、多量のデータを安定して送信しながら移動性に優れて、映像応用サービスを安定して提供できるＷＣＤＭＡ方式の移動通信システムに該当する。
【００３０】
図１の実施例はＷＣＤＭＡ方式の移動通信システムを例に挙げて示したもので、これを参照すると、移動通信システム２００は、移動通信端末１００との無線接続を行って、映像呼及び映像応用サービス関連データと音声呼及び音声応用サービス関連データとを無線信号で伝達する無線接続網（ＲＡＮ：Ｒａｄｉｏ  Ａｃｃｅｓｓ  Ｎｅｔｗｏｒｋ）２１０と、無線接続網２１０間及び他の交換機間のユーザトラフィックのための接続点を構成して移動通信加入者に回線交換サービスを提供する交換機（ＭＳＣ：Ｍｏｂｉｌｅ  Ｓｗｉｔｃｈｉｎｇ  Ｃｅｎｔｅｒ）２２０と、音声応用サービス提供のための制御情報を伝達するＳＭＳＣ（Ｓｈｏｒｔ  Ｍｅｓｓａｇｅ  Ｓｅｒｖｉｃｅ  Ｃｅｎｔｅｒ）２４０と、移動通信端末の位置情報を把握するためのＨＬＲ（Ｈｏｍｅ  Ｌｏｃａｔｉｏｎ  Ｒｅｇｉｓｔｅｒ）２５０と、応用サービス提供装置３００との間のプロトコル変換により情報を交換する応用サービスゲートウェイ（Ｇ／Ｗ）２３０と、を含む。
【００３１】
交換機２２０は、付加的に移動電話加入者の位置を追跡して常に移動電話サービスを提供できるようにし、移動場所が変わっても通信サービスを維持させる通話チャンネル転換（ｈａｎｄ−ｏｆｆ）機能を有する。
【００３２】
応用サービス提供装置３００は、移動通信加入者に映像基盤の多様な映像応用サービス及び音声応用サービスを提供する装置である。映像応用サービスには、例えば、互いに映像を見ながら複数の人が同時に会話できる映像会議サービスや、指定された場所を撮影してリアルタイムでユーザに提供するモニタリングサービスなどを挙げられるが、必ずしもこれらに限定されるものではなく、映像を基盤としたサービスであれば、何でも含まれることができる。音声応用サービスには、例えば、複数の人が同時に会話できる音声会議サービスや、盲人のためのＡＲＳサービスなどが含まれることができる。応用サービス提供装置３００は、例えば、移動通信システム２００に接続されて移動通信加入者の接続を処理するアクセスサーバ、映像会議サービスまたは音声会議サービスを提供するメディアサーバ、及びモニタリングサービスを提供するモニタリングサーバなどを含むことができる。
【００３３】
図２は、本発明の第１実施例による応用サービス提供のためのユーザインターフェースメニューの制御方法を説明する基本フローチャートである。
【００３４】
以下、上述した図１の構成を参照して本発明によるユーザインターフェースメニューの制御方法の基本フローを説明する。
【００３５】
通常、ユーザが応用サービスを利用する場合、ステップＳ２０１で、ユーザは移動通信端末１００を操作して応用サービスを要求するために、移動通信端末１００から応用サービスを要求する呼が発信される。発信された呼は、応用サービスを要求する呼で、例えば、応用サービスのために割り当てられた代表番号に発信された呼で分かる。
【００３６】
移動通信システム２００は、移動通信端末１００から発信された呼の接続要求が受信されると、受信された呼の目的地番号を参照して応用サービス要求呼であることを確認し、ステップＳ２０２で、目的地に該当する応用サービス提供装置３００に接続してセッション設定のための要求メッセージを転送する。
【００３７】
次に、ステップＳ２０３で、移動通信システム２００と応用サービス提供装置３００との間に、また移動通信システム２００と移動通信端末１００との間に、それぞれの規格によるネゴシエーションが行われ、応用サービスを要求した移動通信端末１００と応用サービスを提供する応用サービス提供装置３００との間に呼が接続される。
【００３８】
呼が接続されると、接続された呼により応用サービス提供装置３００から当該移動通信端末１００に該当する応用サービスが提供されるが、この時、ステップＳ２０４で、応用サービス提供装置３００は、移動通信端末１００に提供する応用サービスの属性が変更されるか否かを確認し、ステップＳ２０５で、サービス属性が変更されるごとに、該サービス属性を移動通信端末１００に通知する。
【００３９】
サービス属性の通知を受けた移動通信端末１００は、ステップＳ２０６で、通知されたサービス属性に合わせてユーザインターフェース（Ｕｓｅｒ  ｉｎｔｅｒｆａｃｅ；ＵＩともいう）のメニューを変更する。このために、移動通信端末１００は、サービス属性別に多様なユーザインターフェースメニューデータを予めメモリなどに格納しており、受信されたサービス属性に合うメニューデータを抽出して、これに合わせてユーザインターフェースメニューを変更することにより、サービス属性に合うメニューをユーザに提供でき、これにより、ユーザの応用サービスの利用便宜を図ることができる。ここで、移動通信端末１００に格納されているサービス属性別のユーザインターフェースメニューデータは、メニューキーが選択された時に、移動通信端末の画面上に表示されるメニュー名、及び、各メニュー名別に行われる命令語または機能情報を含む。
【００４０】
本発明による応用サービスのためのメニュー制御方法の作用及び効果は、以下で説明する実施例により明らかになる。
【００４１】
図３及び図４は、本発明の第１実施例による映像会議サービス過程を示すフローチャートである。
【００４２】
図３及び図４は、本発明が適用された映像応用サービスの詳細フローを示すもので、特に、映像応用サービス中の映像会議サービスに対する詳細フローを示すものである。
【００４３】
図３及び図４を参照すると、ユーザが映像会議サービスの提供を受けるために、移動通信端末１００を操作して映像応用サービスを要求すると、ステップＳ３０１で、映像応用サービスに対応して設定された代表番号を着信側とする映像呼が移動通信システム２００の交換機２２０に伝達される。
【００４４】
ステップＳ３０２で、交換機２２０は発信呼から着信側を確認して映像応用サービス用の代表番号と確認されると、対応する応用サービス提供装置３００に接続されている映像応用サービスゲートウェイのＶＴＧＳ（Ｖｉｄｅｏ  Ｔｅｌｅｐｈｏｎｙ  Ｇａｔｅｗａｙ  Ｓｙｓｔｅｍ）２３０にＩＳＵＰ規格のＩＡＭ（Ｉｎｉｔｉａｌ  Ａｄｄｒｅｓｓ）メッセージを転送して呼の設定を要求する。
【００４５】
ステップＳ３０３で、ＶＴＧＳ２３０は受信されたＩＡＭメッセージをＳＩＰ（Ｓｅｓｓｉｏｎ  Ｉｎｉｔｉａｔｉｏｎ  Ｐｒｏｔｏｃｏｌ）規格のＩＮＶＩＴＥメッセージに変換して対応する応用サービス提供装置３００、より具体的にはアクセスサーバに転送して、移動通信端末１００の映像応用サービス要求を伝達する。
【００４６】
ＩＮＶＩＴＥメッセージが受信されると、ステップＳ３０４で、応用サービス提供装置３００のアクセスサーバは設定された内部規格により処理して１８０ＲＩＮＧＩＮＧメッセージをＶＴＧＳ２３０に伝達し、また、ステップＳ３０６で、当該移動通信端末１００でサービスが利用できるか否かを判断してサービスが提供可能であると判断された場合には「２００ＯＫ」応答メッセージを転送することにより、ＶＴＧＳ２３０と応用サービス提供装置３００との間に移動通信端末１００へのサービス提供のためのセッションが設定される。
【００４７】
また、ステップＳ３０５で、ＶＴＧＳ２３０は、受信された１８０ＲＩＮＧＩＮＧメッセージをＩＳＵＰのＡＣＭ（Ａｄｄｒｅｓｓ  ｃｏｍｐｌｅｔｅ）メッセージに変換して交換機２２０に伝達し、ステップＳ３０７で、２００ＯＫ応答メッセージをＩＳＵＰのＡＮＭ（Ａｎｓｗｅｒ）メッセージに変換して交換機２２０に伝達することにより、着信側（すなわち、応用サービス提供装置３００）から発信側（すなわち、移動通信端末１００）に接続されている交換機２２０に呼設定に必要なアドレス情報が全て受信されたこと、及び、着信側から映像呼に対して応答したことを知らせる。
【００４８】
ステップＳ３０８で、移動通信端末１００とＶＴＧＳ２３０との間にＨ．２４５ネゴシエーションが行われ、ネゴシエーションが完了されると映像通話が始まる。
【００４９】
以上の過程により、ステップＳ３０９のように、移動通信端末１００から応用サービス提供装置３００まで通信チャンネルが確保され、確保されたチャンネルを通して応用サービス提供装置３００は映像呼を発信した移動通信端末１００に映像応用サービスの初期画面を送出する。
【００５０】
ステップＳ３１０で、移動通信端末１００は、ユーザインターフェースを通して受信された初期画面をユーザに表示する。この時は、移動通信端末１００に提供されるサービスの属性がまだ通知されないため、移動通信端末１００のユーザインターフェースメニューは端末規格によるデフォルト値（例えば、端末規格により通話時に提供されるように設定されたメニュー）で構成される。図９は、移動通信端末１００上にディスプレイされた映像応用サービスの初期画面の一例を示すものであって、初期画面８１０を通して提供されるサービス種類（画像サービス、モニタリングサービス、映像会議サービス、コールセンタサービスなど）がユーザに案内され、ユーザはこの中で所望するサービスを選択する。
【００５１】
ステップＳ３１１で、ユーザは、初期画面から自分が所望するサービス、具体的に映像会議サービスを選択し、ステップＳ３１２で、確認ボタン８２０を押すと、選択されたサービスに対応する入力信号が移動通信端末１００から応用サービス提供装置３００に転送され、ステップＳ３１３で、応用サービス提供装置３００は受信された入力信号を確認してユーザが映像会議サービスを要求したことを確認し、これに該当するサービスが提供されるように内部規格により処理する。
【００５２】
ステップＳ３１４で、応用サービス提供装置３００は、ユーザに提供されるサービス属性を確認して現在のサービス属性が映像会議開催モードであることを知らせるサービス属性通知メッセージを移動通信端末１００に転送する。
【００５３】
ステップＳ３１５で、サービス属性通知メッセージを受信した移動通信端末１００は、映像会議開催モードに合うユーザインターフェースメニューを構成して提供する。上述したように、移動通信端末１００は、サービス属性別にそれぞれ設定されたメニュー情報を予め格納しており、上記のようにサービス属性が通知されると、該サービス属性に対応する情報を抽出してユーザインターフェースのメニューを変更する。この時、通知されたサービス属性に合うメニュー情報が設定されていない場合は、デフォルト値（すなわち、端末規格によるメニュー）を表示する。
【００５４】
図１０の（ａ）は映像会議開催モードにおけるユーザインターフェース画面例であり、図１０の（ｂ）は映像会議開催モードにおけるメニュー構成例である。映像会議を開催する主催者の立場では、映像会議に参加する参加者を選択し、その参加者の情報（具体的には、参加者のＭＩＮ（Ｍｏｂｉｌｅ  Ｉｄｅｎｔｉｆｉｃａｔｉｏｎ  Ｎｕｍｂｅｒ））を応用サービス提供装置３００に知らせることになる。したがって、図１０の（ａ）に示すように、映像会議開催モードにおけるユーザインターフェース画面には映像会議参加者を選択して入力する画面９１０が表示され、図１０の（ｂ）に示すように、メニュー９２０には、参加者の選択を容易にするために、移動通信端末１００に格納されている通話記録を確認する「通話記録確認」や、ユーザが移動通信端末１００内に格納した電話帳を検索する「電話帳検索」が提供される。
【００５５】
例えば、映像会議を主催する移動通信加入者は、映像会議に参加させる全参加者の移動通信端末ＭＩＮをメモリし、キーボタンで直接入力することなく、１「通話記録確認」メニューを選択することにより通話記録を調べて参加者を選択したり、２「電話帳検索」メニューを選択することにより登録されている電話帳を検索して参加者を選択したりして、簡便に参加者を選択することができる。
【００５６】
上記のように、ステップＳ３１６で、映像会議開催モードのサービス属性に対応したメニューを利用して参加者を選択して、図１０の（ａ）の確認ボタン９３０を押すと、ステップＳ３１７で、所定の形式で参加者情報を応用サービス提供装置３００に伝達する。例えば、参加者情報の伝達形式は「＊０１＃参加者１のＭＩＮ＃参加者２のＭＩＮ．．．．＃参加者ｎのＭＩＮ」であって、ユーザが参加者１〜参加者ｎのＭＩＮを全て入力した後に確認ボタンを押すと、移動通信端末１００は形式「＊０１＃参加者１のＭＩＮ＃参加者２のＭＩＮ．．．．＃参加者ｎのＭＩＮ」に対応する入力信号を生成して応用サービス提供装置３００に転送する。
【００５７】
ステップＳ３１８で、応用サービス提供装置３００、具体的にアクセスサーバは、上記形式の「＊０１＃参加者１のＭＩＮ＃参加者２のＭＩＮ．．．．＃参加者ｎのＭＩＮ」のＤＴＭＦ信号が受信されると、参加者情報を伝達する信号であると認識して「＃」の後にあるＭＩＮ番号を抽出し、メディアサーバとの連動から、参加者たちの移動通信端末に映像会議参加要求メッセージを伝達し、それに対する各移動通信端末の応答結果を主催者の移動通信端末１００に知らせるなど映像会議開催を処理し、ステップＳ３１９で、映像会議を主催する主催者の移動通信端末１００に映像会議通話モードのことを示すサービス属性通知メッセージを転送する。
【００５８】
図４には示されていないが、ステップＳ３１９以後の処理は、主催者の画面だけでなく、映像会議の招待に応えた参加者の移動通信端末（図示せず）にも同じく行われる。
【００５９】
上述したように、映像会議通話モードであることを知らせるサービス属性通知メッセージを受信した移動通信端末１００は、ステップＳ３２０で、通知されたサービス属性（映像会議通話モード）に合うメニューにユーザインターフェースのメニューを変更する。
【００６０】
図１１の（ａ）は映像会議が行われている移動通信端末１００のユーザインターフェース画面を示し、図１１の（ｂ）は図１１の（ａ）のユーザインターフェース画面に表示されたユーザインターフェースメニュー１０３０を選択した時に表示されるメニュー構成である。映像会議通話中である場合には、応用サービス提供装置３００を利用して映像会議に参加している相手側（映像会議主催者及び参加者全員を含む）の映像を受信して一つの画面１０１０にディスプレイして相手側の映像を見ながら会話することができる。
【００６１】
この時、ユーザに必要な機能とは、参加者を容易に選択できる機能ではなく、図１１の（ｂ）のように、特定参加者との耳打ち機能やチャット機能、主催者の場合には映像会議の進行のための制御機能として、さらに発言禁止機能などがある。したがって、本発明は、上記のようにサービス属性通知に応じてメニューを変更することにより、映像通話モードである場合には、ユーザインターフェースメニュー１０３０は、図１１の（ｂ）のように他の参加者には聞こえなく、特定参加者にだけ聞こえるようにする「耳打ち」、特定参加者の音声が他の参加者には聞こえないようにする「発言禁止」、及び特定参加者と文字メッセージを交換する「チャット機能」のうちの一つ以上を含むことができる。
【００６２】
したがって、ステップＳ３２１で、ユーザは簡単にメニューから特定項目を選択することにより、ステップＳ３２２で、自分が所望する機能を応用サービス提供装置３００に知らせることができる。これは選択されたメニュー項目に対応する入力信号が応用サービス提供装置３００に転送されることで実現される。ステップＳ３２３で、応用サービス提供装置３００は、上記のような入力信号に対応するサービスをユーザに提供する。
【００６３】
図５は、本発明の第１実施例による映像モニタリングサービス過程を示すフローチャートである。
【００６４】
図５は、本発明の他の実施例であって、モニタリングサービス提供時のサービスフローを示すフローチャートである。
【００６５】
図５において、映像モニタリングサービスの提供を受けるための映像呼の接続過程は、図３のステップＳ３０１〜ステップＳ３０８の映像呼の接続過程と同様であるため、これに対する重複説明は省略する。
【００６６】
モニタリングサービスは、上述したステップにより移動通信端末１００に提供された初期画面からモニタリングサービスを選択した場合に行われるものであって、ステップＳ４１１で、ユーザが図９のような初期画面からモニタリングサービスを選択すると、ステップＳ４１２で、該モニタリングサービスに対応して設定された選択キーの入力信号が移動通信端末１００から応用サービス提供装置３００に転送され、ステップＳ４１３で、応用サービス提供装置３００、具体的にはアクセスサーバが入力信号を受信してモニタリングサービスが要求されたことを認識し、対応するモニタリングサーバと連動してモニタリングサービスの提供のための処理を内部規格にしたがって行う。ステップＳ４１３は、ユーザが設定したモニタリング端末に接続してモニタリング端末からモニタリング映像信号を収集する過程を含むことができる。
【００６７】
これと同時に、ステップＳ４１４で、応用サービス提供装置３００はモニタリングサービスを要求した移動通信端末１００に、サービス属性が映像モニタリングモードであることを知らせるサービス属性通知メッセージを転送する。
【００６８】
サービス属性通知メッセージを受信した移動通信端末１００は、ステップＳ４１５で、通知されたサービス属性、すなわち、ユーザインターフェースのメニューを映像モニタリングモードに該当するメニューに変更する。
【００６９】
ステップＳ４１６で、モニタリングサービス提供のための処理を行った応用サービス提供装置３００は、指定されたモニタリング端末から収集されたモニタリング映像を移動通信端末１００に転送し、ステップＳ４１７で、移動通信端末１００は受信されたモニタリング映像をユーザインターフェース画面に表示する。
【００７０】
図１２の（ａ）はモニタリングサービスのために移動通信端末１００に提供されるユーザインターフェース画面例であり、図１２の（ｂ）はモニタリングサービスのためのユーザインターフェース画面におけるメニュー構成例である。図１２の（ａ）及び図１２の（ｂ）に示すように、モニタリングサービスが提供される場合のユーザインターフェースは、応用サービス提供装置３００から提供される映像が表示されるモニタリング画面１１１０、モニタリングサービスに対するモニタリングサービス用ユーザメニュー１１３０、及びユーザの選択事項を転送するための確認ボタン１１２０を含む。モニタリングサービス用ユーザメニュー１１３０は、モニタリング端末に対する制御メニューであって、図１２の（ｂ）に示すように、モニタリング画面のサイズや位置を制御する「画面拡大」、「画面縮小」、「右へ移動」、及び「左へ移動」などを含むことができる。
【００７１】
ユーザはモニタリングサービス用ユーザメニュー１１３０を選択することにより、簡単に自分の要求を応用サービス提供装置３００に転送できるが、具体的には、ステップＳ４１８で、ユーザがモニタリングサービス用ユーザメニュー１１３０の項目から特定項目を選択して確認ボタン１１２０を押すと、ステップＳ４１９で、移動通信端末１００から選択されたメニューに対して設定されている入力信号が応用サービス提供装置３００に転送され、ステップＳ４２０で、応用サービス提供装置３００が要求によりモニタリング端末を制御し、ステップＳ４２１で、制御されたモニタリング画面を移動通信端末１００に転送し、ステップＳ４２２で、移動通信端末１００は上述した過程を経て提供される、制御されたモニタリング映像をモニタリング画面１１１０に表示することになる。
【００７２】
上述したように、ユーザは複雑な命令を入力することなく、簡単なキー操作でモニタリング端末を制御して所望するモニタリング画面を得ることができる。
【００７３】
図６は、本発明の第２実施例による応用サービス提供のためのユーザインターフェースメニューの制御方法を説明するフローチャートである。
【００７４】
ユーザが応用サービスを利用しようとする場合、ユーザは移動通信端末１００を操作して応用サービスを要求し、ステップＳ５０１で、移動通信端末１００から応用サービスを要求する呼が発信される。
【００７５】
移動通信システム２００は移動通信端末１００から発信された呼の接続要求を受信すると、受信された呼の目的地番号を参照して応用サービス要求の呼であることを確認し、ステップＳ５０２で、目的地の応用サービス提供装置３００に接続してセッション設定のための要求メッセージを転送する。
【００７６】
次に、ステップＳ５０３で、移動通信システム２００と応用サービス提供装置３００との間に、また移動通信システム２００と移動通信端末１００との間にそれぞれの規格によるネゴシエーションを行って、応用サービスを要求した移動通信端末１００と応用サービスを提供する応用サービス提供装置３００との間に呼が接続される。
【００７７】
このように接続された呼を通して、応用サービス提供装置３００から当該移動通信端末１００に対応する応用サービスが提供されるが、ステップＳ５０４で、応用サービス提供装置３００は移動通信端末１００に提供される応用サービスを確認してユーザインターフェースメニューの構成情報を伝達する必要があるか否かを確認する。応用サービス提供装置３００によりユーザインターフェースメニューの構成情報を伝達する必要があると判断された場合には、ステップＳ５０５で、当該応用サービス属性に対応するユーザインターフェースメニューの構成情報を移動通信端末１００に通知する。ここで、ユーザインターフェースメニューの構成情報は、各応用サービスのサービス属性に応じて異なるように構成されるメニュー構成情報であって、これは応用サービス提供装置３００の格納部に格納することができ、応用サービス提供装置３００と連動したデータベースに格納することもできる。
【００７８】
ユーザインターフェースメニューの構成情報が通知された移動通信端末１００は、ステップＳ５０６で、通知されたユーザインターフェースメニューの構成情報に対応するようにユーザインターフェースメニューを変更する。ここで、ユーザインターフェースメニューは、メニューキーを操作してディスプレイ画面に表示されることができ、メニューキーの操作に関係なく移動通信端末のディスプレイ画面の一部にポップアップで表示されることもできる。
【００７９】
移動通信端末１００に受信されたユーザインターフェースメニューの構成情報は、該当するサービスに対応してメニューキーが選択された場合、移動通信端末の画面上に表示されるメニュー名及び、各メニュー名別に行われる機能を担当するメニュー構成データ情報を含む。
【００８０】
移動通信端末１００は、多様なメニュー構成データを予めメモリなどに格納しており、受信されたユーザインターフェースメニューの構成情報に合うメニュー構成データを組み合わせてユーザインターフェースメニューを変更することにより、サービス属性に合うメニューをユーザに提供するので、ユーザの応用サービスの利用便宜を図ることができる。
【００８１】
移動通信端末１００は、多様なメニュー構成データを予めメモリなどに格納する。移動通信端末１００は、応用サービスが変更されたり、新しい応用サービスが開発された場合にも応用サービス提供装置３００からユーザインターフェースメニューの構成情報の通知を受けてメニュー構成データを組み合わせて、ユーザインターフェースメニューを構成することができる。すなわち、移動通信端末１００は、ユーザインターフェースメニューの構成情報を受信し、これに対応するユーザインターフェースメニューを構成することにより、応用サービスの変更及び拡張にも関わらず、移動通信端末１００のメニュープログラムをアップグレードする必要がない。
【００８２】
このような本発明による応用サービスのためのメニュー制御方法の作用及び効果は、以下で説明する実施例により明らかになる。
【００８３】
図７は、本発明の第２実施例による映像会議サービス過程を示すフローチャートである。
【００８４】
図７において、映像会議サービスが提供されるための映像呼接続過程は、図３のステップＳ３０１〜ステップＳ３０８の映像呼接続過程と同じであるため、これに対する重複説明は省略する。
【００８５】
ステップＳ６０９で、移動通信端末１００から応用サービス提供装置３００までの通信チャンネルが確保され、確保されたチャンネルを通して応用サービス提供装置３００は映像呼を発信した移動通信端末１００に映像応用サービスの初期画面を送出する。この時、応用サービス提供装置３００は、映像応用サービスの初期画面に対応するユーザインターフェースメニューの構成情報を移動通信端末１００に伝達する。
【００８６】
ステップＳ６１０で、移動通信端末１００は、ユーザインターフェースを通して受信された初期画面をユーザに表示する。また、移動通信端末１００は受信したユーザインターフェースメニューの構成情報を用いて移動通信端末１００に格納されているメニュー構成データを組み合わせて対応するユーザインターフェースメニューを構成することができる。
【００８７】
図９は、移動通信端末１００上にディスプレイされた映像応用サービスの初期画面の一例を示すものであって、初期画面８１０から提供されるサービス種類（画像サービス、モニタリングサービス、映像会議サービス、コールセンタサービスなど）がユーザに案内され、ユーザはこの中で所望するサービスを選択する。
【００８８】
ステップＳ６１１で、ユーザは、初期画面から自分が所望するサービス、例えば、映像会議サービスを選択して確認ボタン８２０を押すと、ステップＳ６１２で、選択されたサービスに対応する入力信号が移動通信端末１００から応用サービス提供装置３００に転送される。
【００８９】
応用サービス提供装置３００は入力信号が受信されると、ユーザが映像会議サービスを要求したことを確認し、ステップＳ６１３で、対応するサービスが提供できるように内部規格による処理を行う。
【００９０】
ステップＳ６１４で、応用サービス提供装置３００は、ユーザに提供されるサービス属性を確認し、現在のサービス属性が映像会議開催モードである場合には、映像会議開催モードに対応するユーザインターフェースメニューの構成情報を移動通信端末１００に転送する。
【００９１】
ステップＳ６１５で、ユーザインターフェースメニューの構成情報を受信した移動通信端末１００は、映像会議開催モードに合うユーザインターフェースメニューを構成して提供する。
【００９２】
上述したように、移動通信端末１００はメニューを構成するメニュー構成データを予め格納しており、ユーザインターフェースメニューの構成情報が受信されると、対応するメニュー構成データを抽出し組み合わせて、ユーザインターフェースのメニューを構成すればよい。若しユーザインターフェースメニューの構成情報が伝達されない場合には、移動通信端末１００はデフォルト値（すなわち、端末規格によるメニュー）を表示することができる。
【００９３】
図１０の（ａ）は映像会議開催モードにおけるユーザインターフェース画面例であり、図１０の（ｂ）は映像会議開催モードにおけるメニュー構成例である。映像会議を開催する主催者の立場では、映像会議に参加する参加者を選択して当該参加者の情報（具体的には、参加者のＭＩＮ）を応用サービス提供装置３００に知らせることになる。
【００９４】
したがって、図１０の（ａ）に示されたように、映像会議開催モードにおけるユーザインターフェース画面には映像会議参加者を選択して入力する画面９１０が表示され、メニュー９２０には、図１０の（ｂ）に示されたように、参加者の選択を容易にするために、移動通信端末１００に格納された通話記録を確認する「通話記録確認」や、ユーザが移動通信端末１００内に格納している電話帳を検索する「電話帳検索」が提供される。
【００９５】
例えば、映像会議を主催する移動通信加入者は、映像会議に参加させる全参加者の移動通信端末ＭＩＮ（Ｍｏｂｉｌｅ  Ｉｄｅｎｔｉｆｉｃａｔｉｏｎ  Ｎｕｍｂｅｒ）をメモリして、キーボタンで直接入力することなく、１「通話記録確認」メニューを選択することにより通話記録を調べて参加者を選択したり、２「電話帳検索」メニューを選択することにより登録されている電話帳を検索して参加者を選択したりして、簡便に参加者を選択することができる。
【００９６】
ステップＳ６１６で、移動通信端末１００は映像会議開催モードのユーザインターフェースメニューの構成情報を受信し、これに対応して構成されたメニューを用いて参加者を選択し、図１０の（ａ）の確認ボタン９３０を押すと、ステップＳ６１７で、設定されている形式で参加者情報を応用サービス提供装置３００に伝達する。
【００９７】
ステップＳ６１８で、応用サービス提供装置３００は、参加者たちの移動通信端末に映像会議参加要求メッセージを伝達し、それに対する各移動通信端末の応答結果を主催者の移動通信端末１００に知らせるなどの映像会議開催処理を行い、ステップＳ６１９で、映像会議を主催する主催者の移動通信端末１００に映像会議通話モードに対応するユーザインターフェースメニューの構成情報を転送する。
【００９８】
ステップＳ６２０で、移動通信端末１００は受信した映像会議通話モードに対応するユーザインターフェースメニューの構成情報に対応するようにユーザインターフェースのメニューを構成する。
【００９９】
図１１の（ａ）は映像会議中である移動通信端末１００のユーザインターフェース画面を示し、図１１の（ｂ）は図１１の（ａ）のユーザインターフェース画面に表示されたユーザインターフェースメニュー１０３０を選択した時のメニュー構成である。映像会議通話中である場合には、応用サービス提供装置３００を通して映像会議をしている相手側（映像会議主催者及び参加者の全員を含む）の映像を受信して一つの画面１０１０にディスプレイし、相手側の映像を見ながら会話することができる。この時、ユーザに必要な機能としては、参加者を容易に選択できる機能ではなく、図１１の（ｂ）のように、特定参加者との耳打ち機能やチャット機能、主催者の場合には映像会議の進行のための制御機能として、さらに発言禁止機能などがある。したがって、本発明は、上記のようにサービス属性通知に応じてメニューを変更することにより、映像通話モードである場合には、ユーザインターフェースメニュー１０３０は、図１１の（ｂ）のように、他の参加者には聞こえなく特定参加者にだけ聞こえるようにする「耳打ち」、特定参加者の音声が他の参加者に聞こえないようにする「発言禁止」、及び特定参加者と文字メッセージを交換できる「チャット機能」のうち一つ以上を含むことができる。
【０１００】
したがって、ステップＳ６２１で、ユーザは簡単にメニューの特定項目を選択することにより、自分が所望する機能を応用サービス提供装置３００に知らせることができる。これは、選択されたメニュー項目に対応する入力信号が応用サービス提供装置３００に転送されることで実現される。ステップＳ６２３で、応用サービス提供装置３００は、上記のような入力信号に対応するサービスをユーザに提供する。
【０１０１】
図８は、本発明の第２実施例による音声会議サービス過程を示すフローチャートである。
【０１０２】
図８において、音声会議サービスの提供を受けるための音声呼接続過程は、図３のステップＳ３０１〜ステップＳ３０８の映像呼接続過程と同じであるため、これに対する重複説明は省略する。
【０１０３】
音声会議サービスは複数の人が音声で会議を行うサービスである。本発明の第２実施例による音声会議サービス過程は、図７の映像会議サービス過程と類似であるが、ユーザインターフェースメニューの構成情報及び入力信号をＳＭＳ（Ｓｈｏｒｔ  Ｍｅｓｓａｇｅ  Ｓｅｒｖｉｃｅ）を用いて伝達するという点が異なる。
【０１０４】
ステップＳ７１０で、移動通信端末１００と応用サービス提供装置３００との間に音声呼が接続されると、ステップＳ７１１で、応用サービス提供装置３００はユーザインターフェースメニューの構成情報を伝達する必要があるか否かを判断する。
【０１０５】
応用サービス提供装置３００からの判断結果、ユーザインターフェースメニューの構成情報を伝達する必要があれば、ステップＳ７１２で、応用サービス提供装置３００はＳＭＳＣ２４０にユーザインターフェースメニューの構成情報を伝達する。また、応用サービス提供装置３００は本発明の第１実施例によるサービス属性情報もＳＭＳＣ２４０に伝達することができる。
【０１０６】
ステップＳ７１３で、ＳＭＳＣ２４０は、ユーザインターフェースメニューの構成情報が伝達される移動通信端末１００のルーティング情報をＨＬＲ２５０に要求し、ステップＳ７１４で、これに対する応答メッセージを受信する。
【０１０７】
ステップＳ７１５で、ＳＭＳＣ２４０は、当該移動通信端末１００のルーティング情報を用いてショートメッセージを送信し、ステップＳ７１６で、これに対する応答メッセージを受信する。ここで、ショートメッセージはユーザインターフェースメニューの構成情報が含まれ、ヘッダフィールド中の特定フィールド例えば、ＰＩＤフィールドを設定してユーザインターフェースメニューの構成情報を通知するショートメッセージであることができる。
【０１０８】
移動通信端末１００はＳＭＳＣ２４０からショートメッセージを受信し、ステップＳ７１７で、ショートメッセージの属性をチェックする。移動通信端末１００はショートメッセージのデータフィールド例えば、ＰＩＤフィールドを分析してショートメッセージの属性をチェックする。
【０１０９】
ショートメッセージの属性をチェックした結果、ステップＳ７１８で、移動通信端末１００はショートメッセージがユーザインターフェースメニューの構成情報を含むショートメッセージであることを確認し、ショートメッセージからユーザインターフェースメニューの構成情報を抽出する。
【０１１０】
ステップＳ７１９で、移動通信端末１００は、抽出したユーザインターフェースメニューの構成情報を用いて音声応用サービスに対応するメニューを含むユーザインターフェースを構成する。
【０１１１】
上述したように、移動通信端末１００にはメニュー構成データが格納されており、ユーザインターフェースメニューの構成情報が受信されると、格納されているメニュー構成データから対応するメニュー構成データを抽出し組み合わせてユーザインターフェースメニューを構成する。
【０１１２】
移動通信端末１００は、ユーザインターフェースを使用したユーザからメニュー選択の入力信号を受信できる。ステップＳ７２０で、移動通信端末１００は受信された入力信号が応用サービス提供装置３００に伝達する必要がある入力信号であるか否かを判断し、伝達する必要がある入力信号であると、ステップＳ７２１で、ショートメッセージを作成してＳＭＳＣ２４０に転送できる。ここで、各メニュー選択の入力信号伝達のためのショートメッセージは、移動通信端末１００に予め格納されており、移動通信端末１００を別途に操作することなくメニュー選択と同時にＳＭＳＣ２４０に伝達できる。
【０１１３】
ステップＳ７２２で、ＳＭＳＣ２４０は、受信したショートメッセージの属性をチェックし、応用サービスのメニュー選択伝達のためのショートメッセージであると、応用サービス提供装置３００にメニュー選択情報を伝達する。
【０１１４】
ステップＳ７２３で、応用サービス提供装置３００は、ＳＭＳＣ２４０からメニュー選択情報を受信し、これに対応するサービス処理を行う。
【０１１５】
図１３は本発明による移動通信端末のブロック構成図である。
【０１１６】
図１３は本発明による移動通信端末１００のブロック構成図であって、通常、移動通信端末は、送受話部、音声信号処理部、及びＬＥＤ表示部などをさらに含むことができるが、以下では、本発明の特徴を示す構成要素だけを説明し、その他の構成要素については説明を省略する。
【０１１７】
図１３を参照すると、本発明による移動通信端末は、表示部１２１０、入力部１２２０、制御部１２３０、無線部１２４０、及び格納部１２５０を含む。
【０１１８】
表示部１２１０は、制御部１２３０の制御に応じてユーザインターフェース画面をディスプレイする手段であって、図１０（ａ）乃至図１２（ｂ）などのユーザインターフェース画面を表示する。
【０１１９】
入力部１２２０は複数の入力キーで構成され、表示部１２１０に表示されたメニューからユーザーの所望する項目を選択できる。入力部１２２０は移動通信端末１００の種類によって異なるので、ユーザの入力のための装置であればどんなものでも利用可能である。
【０１２０】
本発明の第１実施例による無線部１２４０は、移動通信システム２００を介して無線データを送受信する手段であって、特に本発明では、応用サービス提供装置３００から提供されたサービス属性通知メッセージを制御部１２３０に提供する。
【０１２１】
本発明の第２実施例による無線部１２４０は、応用サービス提供装置３００からユーザインターフェースメニューの構成情報またはショートメッセージを受信して制御部１２３０に提供する。
【０１２２】
本発明の第１実施例による格納部１２５０は、応用サービスのサービス属性別に要求されるメニュー情報を格納する。この時、格納されるメニュー情報には、各サービス属性別にユーザに提供されるメニュー値、各メニュー値別に対応する入力部１２２０のキー情報、または各メニュー値別に、選択時に応用サービス提供装置３００側に転送されるメッセージ形式のうち少なくとも一つ以上が含まれる。
【０１２３】
本発明の第２実施例による格納部１２５０はユーザインターフェースメニューを構成するためのメニュー構成データを格納できる。
【０１２４】
本発明の第１実施例による制御部１２３０は、無線部１２４０から受信された応用サービスのサービス属性に応じて、当該ユーザインターフェースのメニューを変更制御する。
【０１２５】
制御部１２３０は、格納部１２５０に予め格納されているサービス属性別メニュー情報のうち無線部１２４０から受信されたサービス属性に該当するメニュー情報を抽出し、このメニュー情報で表示部１２１０に提供されるユーザインターフェースメニューを変更することができる。
【０１２６】
移動通信端末は、サービス属性別に予め適切なメニュー情報を設定して格納しており、映像応用サービス提供装置から提供されるサービス属性に応じてユーザインターフェースのメニューを変更することにより、ユーザにサービス属性別に適切なメニューを提供でき、その結果、ユーザの便宜を図ることができる。
【０１２７】
本発明の第２実施例による制御部１２３０は、無線部１２４０から受信された応用サービス提供のためのユーザインターフェースメニューの構成情報を用いて当該ユーザインターフェースのメニューを構成する。ここで、ユーザインターフェースメニューの構成情報は無線部１２４０から直接受信されてもよく、ショートメッセージに含まれて受信されてもよい。
【０１２８】
ユーザインターフェースメニュー構成情報がショートメッセージに含まれて受信された場合、制御部１２３０はショートメッセージの属性をチェックして、ユーザインターフェースメニュー構成を伝達するためのショートメッセージと判断されると、ショートメッセージからユーザインターフェースメニューの構成情報を抽出し、これに対応するメニュー構成データを組み合わせてユーザインターフェースメニューを構成することができる。
【０１２９】
制御部１２３０はユーザインターフェース画面がディスプレイされた状態でメニューに該当する入力部１２２０の入力キーが押された場合には、当該メニューに対して設定された形式のメッセージを応用サービス提供装置３００に転送してユーザの要求を伝達する。ここで、当該メニューに対して設定された形式のメッセージは、応用サービスの種類により伝達方式が異なることもある。例えば、音声応用サービス提供装置の場合にはＳＭＳを用いてメニュー選択情報を伝達できる。
【０１３０】
図１４は本発明による応用サービス提供装置のブロック構成図である。
【０１３１】
本発明による応用サービス提供装置は、移動通信端末１００で利用可能な応用サービスを提供する装置であって、例えば、映像応用サービス提供装置または音声応用サービス提供装置であることができる。
【０１３２】
応用サービス提供装置３００は、ユーザの入力信号を受信する入力信号受信部３１０、対応する応用サービスを提供するために応用サービスを処理する応用サービス処理部３２０、ユーザインターフェースメニューの構成情報を送信するＵＩメニュー構成情報送信部３３０、及び応用サービス属性に応じて異なるＵＩメニュー構成情報を格納するＵＩメニュー構成情報格納部３４０を含む。
【０１３３】
入力信号受信部３１０には、移動通信端末１００でユーザが選んで入力した入力信号が受信される。入力信号受信部３１０は、映像応用サービスの場合には移動通信端末１００から応用サービスゲートウェイ２３０を介して受信でき、音声応用サービスの場合にはＳＭＳＣ２４０を介して受信できる。
【０１３４】
応用サービス処理部３２０は、ユーザの応用サービス要求に応じて対応する応用サービスを提供する。応用サービス処理部３２０は、例えば、映像会議サービス、映像モニタリングサービス、または音声会議サービスなど多様な応用サービスを提供するための業務を行う。
【０１３５】
移動通信端末１００において、サービス属性に応じて変更されるユーザインターフェースメニューを構成するように、ＵＩメニュー構成情報送信部３３０は、サービス属性情報またはユーザインターフェースメニューの構成情報を送信する。
【０１３６】
ＵＩメニュー構成情報送信部３３０は、サービス属性情報またはユーザインターフェースメニューの構成情報を、映像応用サービスの場合には応用サービスゲートウェイ２３０を介して送信でき、音声応用サービスの場合にはＳＭＳＣ２４０を介して送信できる。
【０１３７】
移動通信端末１００は、上述したように、サービス属性情報またはユーザインターフェースメニューの構成情報を受信すると、該当する応用サービス属性に対応するユーザインターフェースメニューを構成することができる。
【０１３８】
ＵＩメニュー構成情報格納部３４０は、応用サービス属性に応じて異なるＵＩメニュー構成情報を格納する。
【０１３９】
ＵＩメニュー構成情報格納部３４０は応用サービスが変更されたり、新しい応用サービスが発生したりすると、これに該当するＵＩメニュー構成情報を格納する。移動通信端末１００は、変更された応用サービスまたは新規応用サービスに対するユーザインターフェースメニュー情報が格納されていない場合でも、応用サービス提供装置３００からユーザインターフェースメニューの構成情報を受信して、変更や新設された応用サービスを利用することができる。
【０１４０】
応用サービス提供装置３００は、受信されたユーザの入力信号を判断して、移動通信端末１００にユーザインターフェースメニューを構成するためのサービス属性情報またはユーザインターフェースメニューの構成情報が送信されたか否かを判断するためのユーザインターフェースメニュー構成情報の送信可否判断部（図示せず）をさらに含むことができる。
【０１４１】
応用サービス提供装置３００が音声会議サービス装置である場合には、ユーザインターフェースメニューの構成情報が含まれたショートメッセージを移動通信端末に伝達するためのＳＭＳ要求信号送信部（図示せず）をさらに含むことができる。
【図面の簡単な説明】
【０１４２】
【図１】本発明による応用サービス提供システムを説明するための図面である。
【図２】本発明の第１実施例による応用サービス提供のためのユーザインターフェースメニューの制御方法を説明するフローチャートである。
【図３】本発明の第１実施例による映像会議サービス過程を示すフローチャートである。
【図４】本発明の第１実施例による映像会議サービス過程を示すフローチャートである。
【図５】本発明の第１実施例による映像モニタリングサービス過程を示すフローチャートである。
【図６】本発明の第２実施例による応用サービス提供のためのユーザインターフェースメニューの制御方法を説明するフローチャートである。
【図７】本発明の第２実施例による映像会議サービス過程を示すフローチャートである。
【図８】本発明の第２実施例による音声会議サービス過程を示すフローチャートである。
【図９】移動通信端末にディスプレイされた映像応用サービスの初期動作時のユーザインターフェース画面例である。
【図１０】本発明において、（ａ）は映像会議サービス開催モードにおけるユーザインターフェース画面例であり、（ｂ）は映像会議サービス開催モードにおけるメニュー構成例である。
【図１１】本発明において、（ａ）は映像会議通話モードにおけるユーザインターフェース画面例であり、（ｂ）は映像会議通話モードにおけるメニュー構成例である。
【図１２】本発明において、（ａ）は映像モニタリングモードにおけるユーザインターフェース画面例であり、（ｂ）は映像会議モニタモードにおけるメニュー構成例である。
【図１３】本発明による移動通信端末のブロック構成図である。
【図１４】本発明による応用サービス提供装置のブロック構成図である。
【図１】
2009530956.tif 000003
【図２】
2009530956.tif 000004
【図３】
2009530956.tif 000005
【図４】
2009530956.tif 000006
【図５】
2009530956.tif 000007
【図６】
2009530956.tif 000008
【図７】
2009530956.tif 000009
【図８】
2009530956.tif 000010
【図９】
2009530956.tif 000011
【図１０】
2009530956.tif 000012
【図１１】
2009530956.tif 000013
【図１２】
2009530956.tif 000014
【図１３】
2009530956.tif 000015
【図１４】
2009530956.tif 000016
【国際調査報告】
2009530956.tif 000017
2009530956.tif 000018